(57)【要約】      （修正有）【課題】治療時における煩わしさを開放することのできる、膝関節治療に適した下衣および膝関節治療に適したタイツを提供する。【解決手段】この膝関節治療に適した下衣は、切抜き開口部１２Ｗを覆うように筒状部材に縫合される第１覆い部材１２１と、第１覆い部材を覆うように筒状部材に縫合される第２覆い部材１２２とを備え、第１覆い部材１２１は、その上端又は下端のいずれか一方を除く周囲領域が筒状部材に縫合されることにより、筒状部材に縫合されない上端又は下端の領域は切抜き開口部１２Ｗに連通する開口を形成し、第２覆い部材１２２は、第１覆い部材の筒状部材に縫合されない上端又は下端とは反対側の上端又は下端を除く周囲領域が筒状部材に縫合されることにより、筒状部材に縫合されない上端又は下端の領域は切抜き開口部１２Ｗに連通する開口を形成している。【選択図】図９
0003192569.tif 000002
【実用新案登録請求の範囲】
【請求項１】
膝関節治療に適した下衣であって、
脚を挿通させる筒状部材(12)を有し、前記筒状部材(12)の長手方向の略中央部には、その中央部の背面側に上下に延びる帯状の連結部(12A)を残存させた状態で、切抜き開口部(12W)が設けられた脚部(12)と、
前記切抜き開口部(12W)を覆うように筒状部材(12)に縫合される第１覆い部材(121)と、
前記第１覆い部材(121)を覆うように筒状部材(12)に縫合される第２覆い部材(122)と、
を備え、
前記第１覆い部材(121)は、その上端又は下端のいずれか一方を除く周囲領域が前記筒状部材(12)に縫合されることにより、前記筒状部材(12)に縫合されない前記上端又は前記下端の領域は前記切抜き開口部(12W)に連通する開口を形成し、
前記第２覆い部材(122)は、前記第１覆い部材(121)の前記筒状部材(12)に縫合されない前記上端又は前記下端とは反対側の上端又は下端を除く周囲領域が前記筒状部材(12)に縫合されることにより、前記筒状部材(12)に縫合されない前記上端又は前記下端の領域は前記切抜き開口部(12W)に連通する開口を形成している、膝関節治療に適した下衣。
【請求項２】
前記第１覆い部材(121)は、その下端を除く周囲領域が前記筒状部材(12)に縫合されることにより、前記筒状部材(12)に縫合されない前記下端の領域は前記切抜き開口部(12W)に連通する開口を形成し、
前記第２覆い部材(122)は、その上端を除く周囲領域が前記筒状部材(12)に縫合されることにより、前記筒状部材(12)に縫合されない前記上端の領域は前記切抜き開口部(12W)に連通する開口を形成している、請求項１に記載の膝関節治療に適した下衣。
【請求項３】
前記第１覆い部材(121)の下端と前記切抜き開口部(12W)において露出する筒状部材(12D)の上端(121D)との間に隙間(S)が設けられている、請求項１または請求項２に記載の膝関節治療に適した下衣。
【請求項４】
前記切抜き開口部(12W)は、長手方向に対して交差する断面で見た場合に、前記筒状部材(12)の円周長さの半分以上の領域が切り抜かれて形成されている、請求項１から請求項３のいずれか１項に記載の膝関節治療に適した下衣。
【請求項５】
膝関節治療に適した下衣であって、
脚を挿通させる筒状部材(12)を有し、前記筒状部材(12)の長手方向の略中央部には、その中央部の背面側に上下に延びる帯状の連結部(12A)を残存させた状態で、切抜き開口部(12W)が設けられた脚部(12)と、
前記切抜き開口部(12W)を覆うように前記筒状部材(12)に縫合される覆い部材(121)を備え、
前記覆い部材(121)は、その上端又は下端のいずれか一方を除く周囲領域が前記筒状部材(12)に縫合され、前記筒状部材(12)に縫合されない前記上端又は前記下端に至るまでの領域は前記切抜き開口部(12W)を覆うとともに、前記筒状部材(12)に重なるように設けられている、膝関節治療に適した下衣。
【請求項６】
膝関節治療に適したタイツであって、
パンティ部(110)と、
前記パンティ部から延びる２本のレッグ部(120)と、
を備え、
前記レッグ部(120)は、上記請求項１から請求項５のいずれか１項に記載の膝関節治療に適した下衣である、膝関節治療に適したタイツ。
【考案の詳細な説明】
【技術分野】
【０００１】
本考案は、病院等において膝の治療に適した構造を有する、膝関節治療に適した下衣および膝関節治療に適したタイツに関する。
【背景技術】
【０００２】
変形性膝関節症による膝の痛みに対して、膝関節内注射（ヒアルロン酸注射）を行なっている多くの患者さんがいる。
【先行技術文献】
【特許文献】
【０００３】
【特許文献１】実開平０６−８５３１７号公報
【特許文献２】特開２００２−５４００３号公報
【考案の概要】
【考案が解決しようとする課題】
【０００４】
患者さんの悩みの一つとして、注射をする際の準備の煩わしさがある。具体的にいうと、特に冬の季節においては、ズボン（スカート）の下に２枚〜３枚の下着、サポーターを着込んでいる。そのため、注射前に膝を露出するためには、下着、サポーターを脱ぐのに時間を要する。特に、膝に痛みを有する患者さんにとっては痛みに耐えながら脱ぐ必要がある大変である。また、治療を行なう医師、看護師も、患者さんの準備が整うまで、待つ必要がある。
【０００５】
下着を脱ぐことなく膝の上まで下着を無理に巻き上げた場合には、膝の上に巻き上げた下着により、太腿が強く締め付けられることにより鬱血し、治療の注射後に出血しやすくなる。さらに、注射後に下着を着用する際、注射痕を保護しているガーゼが下着に擦れて剥がれるおそれもある。
【０００６】
したがって、本考案の目的は、上記のような治療時における煩わしさを開放することのできる、膝関節治療に適した下衣および膝関節治療に適したタイツを提供することにある。
【課題を解決するための手段】
【０００７】
この考案に基づいた膝関節治療に適した一の下衣においては、膝関節治療に適した下衣であって、脚を挿通させる筒状部材を有し、上記筒状部材の長手方向の略中央部には、その中央部の背面側に上下に延びる帯状の連結部を残存させた状態で、切抜き開口部が設けられた脚部と、上記切抜き開口部を覆うように筒状部材に縫合される第１覆い部材と、上記第１覆い部材を覆うように筒状部材に縫合される第２覆い部材と、を備える。
【０００８】
上記第１覆い部材は、その上端又は下端のいずれか一方を除く周囲領域が上記筒状部材に縫合されることにより、上記筒状部材に縫合されない上記上端又は上記下端の領域は上記切抜き開口部に連通する開口を形成し、上記第２覆い部材は、上記第１覆い部材の上記筒状部材に縫合されない上記上端又は上記下端とは反対側の上端又は下端を除く周囲領域が上記筒状部材に縫合されることにより、上記筒状部材に縫合されない上記上端又は上記下端の領域は上記切抜き開口部に連通する開口を形成している。
【０００９】
他の形態においては、上記第１覆い部材は、その下端を除く周囲領域が上記筒状部材に縫合されることにより、上記筒状部材に縫合されない上記下端の領域は上記切抜き開口部に連通する開口を形成し、上記第２覆い部材は、その上端を除く周囲領域が上記筒状部材に縫合されることにより、上記筒状部材に縫合されない上記上端の領域は上記切抜き開口部に連通する開口を形成している。
【００１０】
他の形態においては、上記第１覆い部材は、その下端を除く周囲領域が上記筒状部材に縫合されることにより、上記筒状部材に縫合されない上記下端の領域は上記切抜き開口部に連通する開口を形成し、上記第２覆い部材は、その上端を除く周囲領域が上記筒状部材に縫合されることにより、上記筒状部材に縫合されない上記上端の領域は上記切抜き開口部に連通する開口を形成している。
【００１１】
他の形態においては、上記第１覆い部材の下端と上記切抜き開口部において露出する筒状部材の上端との間に隙間が設けられている。
【００１２】
他の形態においては、上記切抜き開口部は、長手方向に対して交差する断面で見た場合に、上記筒状部材の円周長さの半分以上の領域が切り抜かれて形成されている。
【００１３】
この考案に基づいた膝関節治療に適した他の下衣においては、膝関節治療に適した下衣であって、脚を挿通させる筒状部材を有し、前記筒状部材の長手方向の略中央部には、その中央部の背面側に上下に延びる帯状の連結部を残存させた状態で、切抜き開口部が設けられた脚部と、前記切抜き開口部を覆うように前記筒状部材に縫合される覆い部材を備え、前記前記覆い部材は、その上端又は下端のいずれか一方を除く周囲領域が前記筒状部材に縫合され、前記筒状部材に縫合されない前記上端又は前記下端に至るまでの領域は前記切抜き開口部を覆うとともに、前記筒状部材に重なるように設けられている。
【００１４】
この考案に基づいた膝関節治療に適したタイツは、パンティ部と、上記パンティ部から延びる２本のレッグ部とを備え、上記レッグ部は、上述のいずれかに記載の膝関節治療に適した下衣である。
【考案の効果】
【００１５】
本考案の膝関節治療に適した下衣および膝関節治療に適したタイツによれば、治療時の煩わしさを開放することができる。
【図面の簡単な説明】
【００１６】
【図１】実施の形態１における膝関節治療に適したタイツの正面図である。
【図２】実施の形態１における膝関節治療に適したタイツの背面図である。
【図３】図１中のＩＩＩ−ＩＩＩ線矢視断面図である。
【図４】図３中のＩＶ−ＩＶ線矢視断面図である。
【図５】実施の形態１におけるタイツの筒状部材に設けられる切抜き開口部の形状を示す斜視図である。
【図６】実施の形態１の第１および第２覆い部材の形態を斜視図である。
【図７】実施の形態１の筒状部材への第１覆い部材の縫合状態を示す斜視図である。
【図８】実施の形態１の筒状部材への第２覆い部材の縫合状態を示す斜視図である。
【図９】実施の形態１における膝関節治療に適したタイツを着用した状態での治療の様子を示す斜視図である。
【図１０】実施の形態１における膝関節治療に適した他の形態のタイツの図３中のＩＶ−ＩＶ線矢視に相当する断面図である。
【図１１】実施の形態１における膝関節治療に適したタイツに用いられる他の形態の第１および第２覆い部材を示す斜視図である。
【図１２】実施の形態１における膝関節治療に適した他の形態のタイツの断面図である。
【図１３】実施の形態１における膝関節治療に適したさらに他の形態のタイツの断面図である。
【図１４】実施の形態２における膝関節治療に適した下着の正面図である。
【考案を実施するための形態】
【００１７】
以下、本考案に基づいた実施の形態における膝関節治療に適した下衣について、図を参照しながら説明する。なお、以下に説明する実施の形態において、個数、量などに言及する場合、特に記載がある場合を除き、本考案の範囲は必ずしもその個数、量などに限定されない。同一の部品、相当部品に対しては、同一の参照番号を付し、重複する説明は繰り返さない場合がある。各実施の形態における構成を適宜組み合わせて用いることは当初から予定されていることである。
【００１８】
また、以下に用いる図面においては、布地の端部をそのまま露出した縫合状態の図としているが、実際の製品においては、患者の肌に直接触れる部分であることから、各部材の布地の端部は袋縫い等により、布地の端部が露出しないように縫合し、患者への接触感覚および外観を和らげるようにしている。
【００１９】
また、下記の各実施の形態では、下衣の一例として、タイツについて説明しているが、必ずしもタイツに限定されるものではない。たとえば、下衣の一例として、ズボン、パンツ、レギンス、パンティストッキング、下着衣、タイツ、その他の下衣に対して適用することが可能である。
【００２０】
（実施の形態１：膝関節治療に適したタイツ１）
図１から図３を参照して、本実施の形態における膝関節治療に適したタイツ１（以下、単にタイツ１と称する）について説明する。図１は、タイツ１の正面図、図２は、タイツ１の背面図、図３は、図１中のＩＩＩ−ＩＩＩ線矢視断面図である。
【００２１】
図１および図２を参照して、このタイツ１は、伸縮性のある布地で縫製されたパンティ部１１０と、このパンティ部から下方に延び、パンティ部１１０と同様の伸縮性のある布地で縫製された２本のレッグ部１２０とを備える。
【００２２】
レッグ部１２０は、右脚用のレッグ部１２Ｒと、左脚用のレッグ部１２Ｌとを含む。右脚用のレッグ部１２Ｒと左脚用のレッグ部１２Ｌとは同じ構造を有することから、以下では、右脚用のレッグ部１２Ｒについて説明し、左脚用のレッグ部１２Ｌの説明は省略する。
【００２３】
脚部としてのレッグ部１２Ｒは、患者の脚を挿通させる布製の筒状部材１２を有し、この筒状部材１２の長手方向の略中央部には、その中央部の背面側に上下に延びる帯状の連結部１２Ａを残存させた状態で、切抜き開口部１２Ｗが設けられている。この切抜き開口部１２Ｗは、内側が第１覆い部材１２１で覆われ、外側が第２覆い部材１２２で覆われている。
【００２４】
図３に示すように、筒状部材１２において、切抜き開口部１２Ｗの上側（パンティ部１１０側）に位置する上側筒状部材１２Ｕの下端１２１Ｕに第１覆い部材１２１の上端が縫合されている。第１覆い部材１２１の両側部も、連結部１２Ａの側部１２１Ａ（図５参照）に縫合されている。
【００２５】
一方、外側に位置する第２覆い部材１２２は、第１覆い部材１２１とは逆に、切抜き開口部１２Ｗの下側に位置する下側筒状部材１２Ｄの上端１２１Ｄに第２覆い部材１２２の下端が縫合されている。第２覆い部材１２２の両側部も、連結部１２Ａの側部１２１Ａ（図５参照）に縫合されている。
【００２６】
図４に示すように、切抜き開口部１２Ｗは、長手方向に対して交差する断面で見た場合に、筒状部材１２の円周長さの半分以上の領域が切り抜かれて形成されている。本実施の形態においては、連結部１２Ａの角度（α）が、おおよそ７０°程度となるように、筒状部材１２が切り抜かれて切抜き開口部１２Ｗが形成されている。
【００２７】
ここで、膝への注射時には、後述するように、第１覆い部材１２１および第２覆い部材１２２を大きく上下に移動させて、切抜き開口部１２Ｗが大きく露出させる必要がある（図９参照）。この場合に第１覆い部材１２１および第２覆い部材１２２の移動量は、筒状部材１２の切抜き量に比例する。そこで、膝への注射時を考慮すると、切抜き開口部１２Ｗは、長手方向に対して交差する断面で見た場合に、筒状部材１２の円周長さの半分以上の領域が切り抜かれて形成されていることが好ましい。
【００２８】
以上のように、筒状部材１２の背面側に位置する連結部１２Ａを除き、内側に位置する第１覆い部材１２１の下端部は、下側筒状部材１２Ｄに縫合されておらず、切抜き開口部１２Ｗに連通する状態となっている。また、外側に位置する第２覆い部材１２２の上端部は、上側筒状部材１２Ｕに縫合されていないことから、第２覆い部材１２２の上端部から第１覆い部材１２１と第２覆い部材１２２との隙間を通過して、切抜き開口部１２Ｗに連通する状態となっている。
【００２９】
本実施の形態において、切抜き開口部１２Ｗの上下方向の開口長さ（Ｈ１）に対して、第１覆い部材１２１の長さ（Ｈ２）は、第１覆い部材１２１を筒状部材１２に縫合した際に、第１覆い部材１２１の下端と下側筒状部材１２Ｄの上端１２１Ｄとの間に隙間Ｓ（１ｍｍ〜１０ｍｍ程度）が生じる長さに設定されている。
【００３０】
なお、本実施の形態においては、筒状部材１２は、パンティ部１１０側から先端に向かって徐々に径が小さくなる形態であるが、おおよそ切抜き開口部１２Ｗが設けられる領域の径は、１０ｃｍ程度である。また、切抜き開口部１２Ｗの上下方向の開口長さ（Ｈ１）は、１５ｃｍ程度である。なお、これらの数値に限定されるものでなく、タイツ１のサイズに応じて適宜変更されるものである。
【００３１】
第１覆い部材１２１の下端が下側筒状部材１２Ｄの上端１２１Ｄよりも下方に位置する長さであっても使用上に大きな問題は生じないが、第１覆い部材１２１の下端が下側筒状部材１２Ｄの内側に位置する結果、下側筒状部材１２Ｄの内径が狭くなる可能性がある。
【００３２】
また、第１覆い部材１２１の長さが長くなるため、下側筒状部材１２Ｄと第１覆い部材１２１の下端とが重なることにより摩擦力増大し、後述する本タイツ１の使用時に、切抜き開口部１２Ｗを大きく開放させる際に、下側筒状部材１２Ｄの巻き上げ時の抵抗になる可能性が考えられる。よって、好ましくは、第１覆い部材１２１の下端と下側筒状部材１２Ｄの上端１２１Ｄとの間に隙間Ｓを設けるようにするとよい。
【００３３】
第２覆い部材１２２の長さ（Ｈ３）に特に制限はないが、好ましくは、図３に示すように、第２覆い部材１２２の上端が略第１覆い部材１２１の上端と一致しているとよい。これにより、第１覆い部材１２１と第２覆い部材１２２との重なり領域が十分に得られ、冬場の保温性を高めることができる。
【００３４】
（縫製手順）
次に、図５から図８を参照して、上記構成を有するタイツ１の縫製手順について説明する。図５は、タイツ１の筒状部材１２に設けられる切抜き開口部１２Ｗの形状を示す斜視図、図６は、第１覆い部材１２１および第２覆い部材１２２の形態を斜視図、図７は、筒状部材１２への第１覆い部材１２１の縫合状態を示す斜視図、図８は、筒状部材１２への第２覆い部材１２２の縫合状態を示す斜視図である。
【００３５】
図５を参照して、筒状部材１２の長手方向の略中央部に、その中央部の背面側に上下に延びる帯状の連結部１２Ａを残存させた状態で、切抜き開口部１２Ｗを形成する。切抜き開口部１２Ｗ切抜き量等は、図４で説明したとおり、長手方向に対して交差する断面で見た場合に、筒状部材１２の円周長さの半分以上の領域が切り抜かれて形成されていることが好ましく、本実施の形態では、連結部１２Ａの角度（α）が、おおよそ７０°程度となるように、筒状部材１２が切り抜かれている。
【００３６】
次に、図６を参照して、第１覆い部材１２１および第２覆い部材１２２の形態は、帯状部材が筒状部材１２に縫製されるこで、略円筒形状になるような形態である。それぞれの長手方向の長さＨ２，Ｈ３は、図３を用いて説明したとりである。
【００３７】
次に、図７を参照して、第１覆い部材１２１を筒状部材１２に縫合する。切抜き開口部１２Ｗの上側に位置する上側筒状部材１２Ｕの下端１２１Ｕに第１覆い部材１２１の上端を縫合するとともに、第１覆い部材１２１の両側部を、連結部１２Ａの側部１２１Ａに縫合する。この際、第１覆い部材１２１の下端部と下側筒状部材１２Ｄの上端１２１Ｄとの間に隙間Ｓが形成されるように縫合するとよい。
【００３８】
次に、図８を参照して、外側に位置する第２覆い部材１２２は、第１覆い部材１２１とは逆に、切抜き開口部１２Ｗの下側に位置する下側筒状部材１２Ｄの上端１２１Ｄに第２覆い部材１２２の下端を縫合するとともに、第２覆い部材１２２の両側部も、連結部１２Ａの側部１２１Ａに縫合する。以上により、図１から図３に示す構造のタイツ１が得られる。
【００３９】
（使用状態）
次に、図９を参照して、上記構成を有するタイツ１の使用状態を説明する。なお、図９は、タイツ１を患者さんが着用した状態での左膝の治療の様子を示す斜視図である（右膝の場合も同様である）。図９に示すように、第１覆い部材１２１および第２覆い部材１２２を大きく上下に開くことで、患者さんの左膝Ｐ１を大きく露出させることを可能としている。この場合に、患者さん、医師、または、看護師が、第１覆い部材１２１および第２覆い部材１２２を上下に大きく移動させることで、極めて容易に、患者さんの左膝部分を露出させることを可能する。
【００４０】
膝関節治療において、注射器２００を用いて、患部Ｐ２に注射を行なう場合には、患部Ｐ２を中心にして大きく回りを消毒する必要がある。これは、膝関節内への菌の侵入は、新たな疾患を発症させる可能性が高いためである。この点からも、本実施の形態のタイツ１においては、患者さんの膝部分を大きく露出させることを可能する。
【００４１】
患部Ｐ２への注射の後は、第１覆い部材１２１および第２覆い部材１２２を元の状態に戻すことで、極めて容易に治療を完了させることができる。また、膝の上に無理にタイツを巻き上げる必要もないため、太腿が強く締め付けられることもない。さらに、注射痕を保護しているガーゼおよび絆創膏がタイツ１に擦れることもなく、注射痕を清潔に保つことができる。
【００４２】
このように、本実施の形態１におけるタイツ１によれば、膝の治療時におけるタイツの着脱を不要とし、容易に患部である膝の露出を可能としている。これにより、診療の際に患者さんの負担が少なく、簡易に膝を露出させることができ、膝関節治療の準備が簡単にすることができる。また、手の不自由な患者さん、身体の不自由な患者さんであっても、簡易に膝を露出させることができ。さらに、看護師、医者は、スムーズに治療の準備および注射（治療）を行なうことができることから、診療および治療時間を短縮することも期待できる。
【００４３】
また、本実施の形態１のタイツ１においては、切抜き開口部１２Ｗが、第１覆い部材１２１および第２覆い部材１２２の２重の布によって覆われていることから、膝の保温性を高めることができる、患者さんは、治療時だけでなく、治療以外の時にも、快適に膝を保護した状態で、このタイツ１を使用することができる。
【００４４】
さらに、本実施の形態１のタイツ１においては、面ファスナの使用を必要としない。開口部の開閉に面ファスナを用いることも考えられるが、肌に触れて炎症を起こす可能性、洗濯などで面ファスナーと布地部分とで寿命に差が生じる、といった問題の発生を回避することができる。
【００４５】
なお、図３を参照して、上記タイツ１においては、筒状部材１２の背面側に位置する連結部１２Ａを除き、内側に位置する第１覆い部材１２１の下端部は、下側筒状部材１２Ｄに縫合されておらず、切抜き開口部１２Ｗに連通する状態とし、外側に位置する第２覆い部材１２２の上端部は、上側筒状部材１２Ｕに縫合されていないことから、第２覆い部材１２２の上端部から第１覆い部材１２１と第２覆い部材１２２との隙間を通過して、切抜き開口部１２Ｗに連通する状態となっている。
【００４６】
この構成によって、上方から筒状部材１２に脚を差し込んだ場合に、つま先が誤って切抜き開口部１２Ｗから外部に露出することはない。一方、図１０に示すように、本実施の形態とは逆の構成を採用し、第１覆い部材１２１の上端部および第２覆い部材１２２の下端部を縫合しない構成も考えられる。
【００４７】
この場合には、第１覆い部材１２１の上端が内側に折れ曲がったような状態では、つま先Ｓ１が誤って切抜き開口部１２Ｗから外部に露出する場合が考えられる。したがって、このような事態の発生を回避するには、図３に示す構成が好ましいが、図１０の構成の場合には、暖気が上方から下方に向けて流れやすいといえる。
【００４８】
また、上記実施の形態１におけるタイツ１では、図６に示したように、第１覆い部材１２１および第２覆い部材１２２のそれぞれに一重の布を用いているが、さらに保温効果を高めるには、図１１に示すように、二重の布（たとえば、袋状）を用いた第１覆い部材１２１Ｘおよび第２覆い部材１２２Ｘを用いるようにしてもよい。
【００４９】
なお、上記タイツ１のレッグ部１２０は左右の筒状部材１２に切抜き開口部１２Ｗを設け、第１覆い部材１２１および第２覆い部材１２２で覆う構成を採用したが、いずれか一方の筒状部材１２に切抜き開口部１２Ｗを設け、第１覆い部材１２１および第２覆い部材１２２で覆う構成を採用しても良い。
【００５０】
（他の形態）
図１２および図１３を参照して、他の形態のタイツについて説明する。図１２および図１３は、さらに他の形態のタイツの断面図である。上記実施の形態においては、切抜き開口部１２Ｗを第１覆い部材１２１および第２覆い部材１２２で覆う構成を採用しているが、本形態では一枚の覆い部材１２１を用いている。
【００５１】
具体的には、図１２に示す構成では、筒状部材１２の長手方向の略中央部には、その中央部の背面側に上下に延びる帯状の連結部１２Ａを残存させた状態で、切抜き開口部１２Ｗが設けられている。この形態においては、切抜き開口部１２Ｗの幅Ｈ１は、上記実施の形態における隙間Ｓと同程度の１ｍｍ〜１０ｍｍ程度である。
【００５２】
さらに、この切抜き開口部１２Ｗを覆うように筒状部材１２に覆い部材１２１が縫合されている。図１２に示す形態では、覆い部材１２１は、上端を除く周囲領域が筒状部材１２に縫合され、筒状部材１２に縫合されない上端に至るまでの領域は切抜き開口部１２Ｗを覆うとともに、筒状部材１２に重なるように設けられている。覆い部材１２１の長手方向の長さ（Ｈ３）は、本実施の形態では約１５０ｍｍ程度である。
【００５３】
また、図１３に示す構成では、図１２示す構成とは上下において逆の構成を採用しており、覆い部材１２１は、下端を除く周囲領域が筒状部材１２に縫合され、筒状部材１２に縫合されない下端に至るまでの領域は切抜き開口部１２Ｗを覆うとともに、筒状部材１２に重なるように設けられている。覆い部材１２１の長手方向の長さ（Ｈ３）は、本実施の形態では約１５０ｍｍ程度である。
【００５４】
なお、図１１に示したように、覆い部材１２１に二重の布（たとえば、袋状）を用いるようにしてもよい。
【００５５】
（実施の形態２：下衣２）
上記各実施の形態におけるタイツ１は、パンティ部１１０と２本のレッグ部１２０とを備えているが、必ずしも、パンティ部１１０が必要でない場合もあり、また、片脚のみで良い場合も考えられる。そこで、本実施の形態においては、片脚のみに着用する下衣２を、図１４に示す。構造は、上記レッグ部１２０の筒状部材１２に採用した構造と同じであり、得られる作用効果も、上記タイツ１と同じである。
【００５６】
以上、本考案の実施の形態について説明したが、今回開示された実施の形態は全ての点で例示であって制限的なものではないと考えられるべきである。本考案の範囲は実用新案登録請求の範囲によって示され、実用新案登録請求の範囲と均等の意味および範囲内での全ての変更が含まれることが意図される。
【符号の説明】
【００５７】
１  タイツ、２  下衣、１２  筒状部材、１２Ａ  連結部、１２Ｄ  下側筒状部材、１２Ｌ，１２Ｒ，１２０  レッグ部、１２Ｕ  上側筒状部材、１２Ｗ  切抜き開口部、１１０  パンティ部、１２１，１２１Ｘ  第１覆い部材、１２１Ａ  側部、１２１Ｄ  上端、１２１Ｕ  下端、１２２，１２２Ｘ  第２覆い部材、２００  注射器、Ｐ１  膝、Ｐ２  患部、Ｓ  隙間、Ｓ１  つま先。
【図１】
0003192569.tif 000003
【図２】
0003192569.tif 000004
【図３】
0003192569.tif 000005
【図４】
0003192569.tif 000006
【図５】
0003192569.tif 000007
【図６】
0003192569.tif 000008
【図７】
0003192569.tif 000009
【図８】
0003192569.tif 000010
【図９】
0003192569.tif 000011
【図１０】
0003192569.tif 000012
【図１１】
0003192569.tif 000013
【図１２】
0003192569.tif 000014
【図１３】
0003192569.tif 000015
【図１４】
0003192569.tif 000016